(57)【特許請求の範囲】
【請求項１】
方形の底板の四方に側板が折り立てられ、この側板の隣接する端部同士が互いに連結された本体と、この本体後部の側板上端から折り部を介して本体上に被さる方形の蓋板の前及び左右縁から対応する本体の側板の外面側に被さる縁板が折り立てられ、この縁板の隣接する端部同士が互いに連結された蓋体とを有する蓋付紙箱において、
本体の左右の側板の中間部後方寄りに差し込みスリットがそれぞれ１箇所ずつ形成されており、しかも、この差し込みスリットの位置に対応する蓋体の左右の縁板の中間部後方寄りに、蓋体の閉鎖時に差し込みスリットに差し込み可能な差し込み片が形成されていると共に、蓋体の左右の縁板は前から後方に高さが漸減されていることを特徴とする蓋付紙箱。
【請求項２】
差し込みスリットが下向き凸形状をなして内側に舌片が形成されており、しかもこの舌片を縦に二分する補助スリットが形成されている一方、差し込み片が、蓋体の閉鎖時に側方から差し込みスリットに押し込める範囲で差し込みスリットより下方まで延出した下向き凸形状をなしていることを特徴とする請求項１の蓋付紙箱。
【請求項３】
本体前部の側板上端に、当該側板の外面側に折り返されたストッパー片が連接されている一方、蓋体左右の縁板の前端から延出して蓋体前部の縁板内面に接着された糊代の上部先端部が凹形の円弧状に切り欠かれて係止部を形成しており、上記ストッパー片の先端側左右のコーナー部が、蓋体の閉鎖時に上記係止部と係合する円弧状をなしていることを特徴とする請求項１又は２の蓋付紙箱。
【発明の詳細な説明】
【０００１】
【発明の属する技術分野】
本発明は、折り部を介して開閉可能な蓋体を有する蓋付紙箱に関する。
【０００２】
【従来の技術】
従来、蓋付紙箱としては、方形の底板の四方に側板が折り立てられ、この側板の隣接する端部同士が互いに連結された本体と、この本体後部の側板上端から折り部を介して本体上に被さる方形の蓋板の前及び左右縁から対応する本体の側板の外面側に被さる縁板が折り立てられ、この縁板の隣接する端部同士が互いに連結された蓋体とを有する蓋付紙箱が知られている（実公昭６１−２８７５７号公報）。
【０００３】
また、上記のような蓋付紙箱の蓋体左右の縁板後部を対応する本体の側板に接着し、開封時にこの接着した縁板後部を切り離すための切れ目を形成したシール部付の蓋付紙箱も知られている（実公昭６３−１１０６６号公報）。
【０００４】
【発明が解決しようとする課題】
ところで、上記従来の蓋付紙箱における蓋体左右の縁板は、蓋体後部には縁板がないことから、後端部が拘束されていない状態となっており、この蓋体左右の縁板が外側に拡開して張り出し、体裁が悪くなる問題がある。これを是正するためにフィルム等でラッピングして押さえることもできるが、体裁を整えられるのは開封するまでであり、開封後の体裁の低下を防止できない問題がある。
【０００５】
一方、上記従来のシール部付の蓋付紙箱は、蓋体左右の縁板後部が対応する本体の側板に接着されていることから、上記のようなラッピングを施さなくても蓋体左右の縁板が拡開して外側に張り出すのを防止することができる。
【０００６】
しかしながら、開封後は本体左右の側板に接着された蓋体左右の縁板後部が切り離されるので、やはり開封後の体裁の低下を防止できない問題がある。また、開封時に蓋体左右の縁板後部を切れ目に沿って切り離さなければならず、単に蓋体を持ち上げただけではこの切り離しが行いにくいことから、無理な力を加えて蓋体を変形させたり破損させやすいという問題もある。
【０００７】
本発明は、上記従来の問題点に鑑みてなされたもので、方形の底板の四方に側板が折り立てられ、この側板の隣接する端部同士が互いに連結された本体と、この本体後部の側板上端から折り部を介して本体上に被さる方形の蓋板の前及び左右縁から対応する本体の側板の外面側に被さる縁板が折り立てられ、この縁板の隣接する端部同士が互いに連結された蓋体とを有する蓋付紙箱において、開封の前後を問わず、蓋体左右の縁板が拡開してしまうことによる体裁の低下を防止できるようにすることを目的とする。
【０００８】
【課題を解決するための手段】
本発明は、上記目的のために、方形の底板の四方に側板が折り立てられ、この側板の隣接する端部同士が互いに連結された本体と、この本体後部の側板上端から折り部を介して本体上に被さる方形の蓋板の前及び左右縁から対応する本体の側板の外面側に被さる縁板が折り立てられ、この縁板の隣接する端部同士が互いに連結された蓋体とを有する蓋付紙箱において、
本体の左右の側板の中間部後方寄りに差し込みスリットがそれぞれ１箇所ずつ形成されており、しかも、この差し込みスリットの位置に対応する蓋体の左右の縁板の中間部後方寄りに、蓋体の閉鎖時に差し込みスリットに差し込み可能な差し込み片が形成されていると共に、蓋体の左右の縁板は前から後方に高さが漸減されていることを特徴とする蓋付紙箱を提供するものである。
【０００９】
【発明の実施の形態】
図１〜図４に基づいて本発明に係る蓋付紙箱の一例を説明する。
【００１０】
図１は開封前の状態を示す斜視図、図２は開封して蓋体Ｂを開いた状態の斜視図、図３は展開図で、これらに示されるように、本蓋付紙箱は、本体Ａと、折り部５を介して開閉可能な蓋体Ｂとから構成されている。
【００１１】
本体Ａは、方形の底板１の四方に連接された側板２ａ〜２ｄを上向きに折り立て、この側板２ａ〜２ｄの隣接する端部同士を糊代３ａ〜３ｄによって互いに連結したものとなっている。
【００１２】
本体Ａ前部の側板２ａの上端中央部には、図２及び図３に示されるように、側板２ａの外面側に折り返されるストッパー片４が連接されている。このストッパー片４の先端側左右のコーナー部は円弧状に形成されている。ストッパー片４の役割については後述する。
【００１３】
蓋体Ｂは、この本体Ａ後部の側板２ｄ上端から折り部５を介して本体Ａ上に被さる方形の蓋板６を有するものとなっている。この方形の蓋板６の前及び左右縁にはそれぞれ縁板７ａ〜７ｃが連接されており、各縁板７ａ〜７ｃは折り立られて、隣接する端部同士が糊代８ａ，８ｂによって互いに連結されている。各縁板７ａ〜７ｃは、蓋体Ｂの閉鎖時に、対応する本体Ａの側板２ａ〜２ｃの外面側に被さるものとなっている。
【００１４】
上記糊代８ａ，８ｂは、縁板７ｂ，７ｃの前端から延出したもので、縁板７ａの内面に接着されて、縁板７ｂ，７ｃの端部をそれぞれ縁板７ａの左右の端部に連結している。この糊代８ａ，８ｂの先端側上部コーナー部は凹形の円弧状に切り欠かれて係止部９ａ，９ｂを形成している。この係止部９ａ，９ｂは、蓋体Ｂの閉鎖時に、前述したストッパー片４の先端側左右の円弧状コーナー部と係合されるものである。このストッパー片４及び係止部９ａ，９ｂは必須のものではないが、これらを設けておくと、開封後の蓋体ｂの閉鎖時に、折り部５の反発力で蓋体Ｂが半開きになるのを防止することができるので好ましい。また、係合するストッパー片４の先端側左右と係止部９ａ，９ｂとが共に円弧状であることから、蓋体Ｂを開くときに両者の係合が無理なく解除され、蓋体Ｂに無理な力を加えて損傷させることを防止できる。
【００１５】
蓋体Ｂ前部の縁板７ａの中央部には、下部を切り離すことができるよう、ミシン目や断続的なスリット等により、下向きコ字形の開封ライン１０が形成されている。この開封ライン１０の内側部分は本体Ａ前部の側板２に接着されている。図１に示される開封前の状態においては、開封ライン１０の内側部分が本体Ａ前部の側板２に接着されていることで、封止状態を得ることができる。また、開封ライン１０に沿ってその内側部分を切り離すことによって、図２に示されるように開封して蓋体Ｂを開くことができる。
【００１６】
ところで、本体Ａ左右の側板２ｂ、２ｃの中間部後方寄りには差し込みスリット１１ａ，１１ｂが形成されている。また、蓋体Ｂ左右の縁板７ｂ、７ｃは、前から後方向に高さが漸減するものとなっており、この差し込みスリット１１ａ，１１ｂの位置に対応する中間部後方寄りに、蓋体Ｂの閉鎖時に差し込みスリット１１ａ，１１ｂに差し込み可能な差し込み片１２ａ，１２ｂが下向きに突出している。蓋体Ｂの閉鎖時に差し込みスリット１１ａ，１１ｂに差し込み片１２ａ，１２ｂを差し込んでおくと、開封の前後を問わず、蓋体Ｂ左右の縁板７ｂ、７ｄが拡開して外側に張り出し、体裁が悪くなるのを防止することができる。
【００１７】
差し込みスリット１１ａ，１１ｂと差し込み片１２ａ，１２ｂの形成位置は、縁板７ｂ，７ｃの後部ほど拡開しやすいことから、これを押さえやすくするために、上記のように後方寄りとなっている。また、縁板７ｂ，７ｃは、縁板７ｂ、７ｃ後部の拡開をより目立たなくするために、図示されるように、前から後方向に高さが漸減するものとなっている。
【００１８】
差し込みスリット１１ａ，１１ｂは、直線状に形成したものであっても良いが、差し込み片１２ａ，１２ｂを差し込みやすくするために、図４（ａ）又は（ｂ）に明示されるようなものとすることが好ましい。即ち、下向き凸形状をなして内側に舌片１３ａ，１３ｂが形成された差し込みスリット１１ａ，１１ｂとすると共に、この舌片１３ａ，１３ｂを縦に二分する補助スリット１４ａ，１４ｂを形成しておくことが好ましい。このようにしておくと、蓋体Ｂの閉鎖後、側方から差し込み片１２ａ，１２ｂ付近を指で押すと、舌片１３ａ，１３ｂが弾性的に内側に押し込まれると共に、差し込み片１２ａ，１２ｂが反って差し込みスリット１１ａ，１１ｂ内に押し込まれ、差し込み片１２ａ，１２ｂを差し込みスリット１１ａ，１１ｂ内に差し込むことができる。この場合の差し込み片１２ａ，１２ｂは、側方から差し込みスリット１１ａ，１１ｂに押し込める範囲で、差し込みスリット１１ａ，１１ｂより下方まで延出した下向き凸形状のものとしておけばよい。
【００１９】
尚、図４（ａ）に示される差し込みスリット１１ａ，１１ｂの中央部は下向きに凸の円弧状、図４（ｂ）に示される差し込みスリット１１ａ，１１ｂの中央部は下向きに凸の三角形状となっているが、これはそれぞれ差し込み片１２ａ，１２ｂの形状に合わせておくことで差し込み片１２ａ，１２ｂをより差し込みやすくするためのものである。
【００２０】
【発明の効果】
本発明は、以上説明した通りのものであり、差し込みスリット１１ａ，１１ｂに差し込み片１２ａ，１２ｂを差し込んでおくことによって、開封の前後を問わず、蓋体Ｂ左右の縁板７ｂ，７ｃが拡開してしまうことによる体裁の悪化を防止することができるものである。
【図面の簡単な説明】
【図１】本発明に係る蓋付紙箱の一例を示す開封前の斜視図である。
【図２】図１に示される蓋付紙箱を開封して蓋体を開いた状態の斜視図である。
【図３】図１に示される蓋付紙箱の展開図である。
【図４】差し込みスリットと差し込み片の拡大説明図である。
【符号の説明】
Ａ  本体
Ｂ  蓋体
１  底板
２ａ〜２ｄ  側板
３ａ〜３ｄ  糊代
４  ストッパー片
５  折り部
６  蓋板
７ａ〜７ｃ  縁板
８ａ，８ｂ  糊代
９ａ，９ｂ  係止部
１０  開封ライン
１１ａ，１１ｂ  差し込みスリット
１２ａ，１２ｂ  差し込み片
１３ａ，１３ｂ  舌片
１４ａ，１４ｂ  補助スリット
【図１】
0004327300.tif 000002
【図２】
0004327300.tif 000003
【図３】
0004327300.tif 000004
【図４】
0004327300.tif 000005